(57)【要約】      （修正有）【課題】複数の原稿のスキャン動作において重送を検知された原稿の画像読取を適切に行う。【解決手段】原稿読取装置５は、原稿を読み取って画像データを取得する画像読取部６と、画像読取部６へ原稿を搬送する原稿搬送部７と、表示器を含む操作表示部とを備える。原稿搬送部７は、画像読取部６へ搬送される原稿の重送を検知する重送検知部４１を備える。原稿読取装置５は、複数の原稿について、原稿搬送部７による原稿搬送と画像読取部６による画像読取とを含む搬送読取を実行中に、重送検知部４１が原稿の重送を検知した場合、重送が検知された重送原稿に後続する後続原稿の搬送読取を停止する。原稿読取装置５は、重送原稿の再読取動作として、重送原稿だけの載置を促し、重送検知部４１の重送検知機能をオフにし、重送原稿の搬送読取を再度実行した後、後続原稿の再開動作として、重送検知機能をオンにし、後続原稿の搬送読取を再開する。【選択図】図２
2020170945.tif 000002
【特許請求の範囲】
【請求項１】
原稿を読み取って画像データを取得する画像読取部と、
前記画像読取部へ前記原稿を搬送する原稿搬送部と、
表示器を含み、ユーザーからの操作入力を受け付ける操作表示部と、
を備え、
前記原稿搬送部は、前記画像読取部へ搬送される前記原稿の重送を検知する重送検知部を備え、
複数の前記原稿について、前記原稿搬送部による原稿搬送と前記画像読取部による画像読取とを含む搬送読取を実行中に、前記重送検知部が前記原稿の重送を検知した場合、重送が検知された重送原稿に後続する後続原稿の前記搬送読取を停止し、
前記重送原稿の再読取動作として、前記重送原稿１枚だけの前記原稿搬送部への載置を促す表示を前記表示器に表示すると共に前記重送検知部の重送検知機能をオフにし、前記重送原稿の前記搬送読取を再度実行した後、前記後続原稿の再開動作として、前記重送検知機能をオンにすると共に前記後続原稿の前記搬送読取を再開することを特徴とする原稿読取装置。
【請求項２】
複数の前記原稿の前記搬送読取を実行中に、前記重送検知部が、前記原稿の重送を連続して検知した場合、又は前記原稿の重送を所定回数検知した場合、それ以降の前記再開動作で前記重送検知機能を常時オフにするか否かのユーザー選択を、前記操作表示部を介して入力し、
前記重送検知機能の常時オフのユーザー選択を入力した場合、それ以降の前記再開動作で前記重送検知機能を常時オフにすることを特徴とする請求項１に記載の原稿読取装置。
【請求項３】
前記重送検知部は、前記原稿の重送を検知する複数の重送センサーを前記原稿の搬送方向に直交する幅方向に間隔を空けて配置して構成され、
前記複数の重送センサーのうちの一の重送センサーが前記原稿の重送を検知した場合、前記再読取動作において、前記一の重送センサーの前記重送検知機能をオフにする一方、前記複数の重送センサーのうちの他の重送センサーの前記重送検知機能をオンにすることを特徴とする請求項１に記載の原稿読取装置。
【請求項４】
画像を形成する画像形成部と、
請求項１〜３の何れか１項に記載の原稿読取装置と、
を備えることを特徴とする画像形成装置。
【発明の詳細な説明】
【技術分野】
【０００１】
本発明は、原稿搬送及び画像読取等のスキャン動作を行う原稿読取装置及びこの原稿読取装置を備える画像形成装置に関する。
【背景技術】
【０００２】
複合機等の画像形成装置は、原稿搬送及び画像読取等のスキャン動作を行う原稿読取装置を備える。原稿読取装置は、原稿を読み取って画像データを取得するスキャナー等の画像読取部と、原稿を一枚ずつ画像読取部へ搬送する原稿搬送部とを備える。
【０００３】
例えば、特許文献１のシート搬送装置（原稿搬送部）は、重送センサーにより原稿の重送が検知されると、原稿の搬送及び読取を中断し、搬送路中の原稿が原稿トレイに載置し直されると、重送検知を無効にしてジョブを再開させるか、重送検知有効にしたままジョブを再開させるかを利用者に選択させるための画面を表示する。
【先行技術文献】
【特許文献】
【０００４】
【特許文献１】特開２０１７−５２５９３号公報
【発明の概要】
【発明が解決しようとする課題】
【０００５】
従来、原稿読取装置では、原稿が重送されると、重なった状態の原稿が読み取られて欠落した画像データを取得することがあるので、原稿の重なりを重送として検知した場合に、原稿搬送及び画像読取等のスキャン動作を停止する。上記した原稿搬送部では、原稿の重送を検知したとき、その原稿を読み取らないので、重送が検知された原稿についてジョブを再開し、即ち、スキャン動作をやり直している。また、スキャン動作がやり直される際に原稿の重送を検知するか否かの設定を可能にしている。
【０００６】
ところで、付箋や写真、書類等の添付物を貼り付けたままで原稿のスキャン動作を行うことがあるが、従来の原稿読取装置は、原稿に貼られた添付物を重送として検知してしまう。原稿に貼られた添付物の重送検知を回避するためには、上記したように、重送検知を無効に設定するか、あるいは原稿から添付物を外す必要がある。重送検知を無効に設定すると、原稿に貼られた添付物は重送として検知されなくなるが、２枚以上の原稿の重送が生じた場合に、この重送を検知することができないので、スキャン動作結果にページの抜けが発生してしまう。また、原稿から添付物を外すと、添付物が貼られた状態の原稿の画像データを取得することができなくなる。
【０００７】
そこで、本発明は上記事情を考慮し、複数の原稿のスキャン動作において重送を検知された原稿の画像読取を適切に行うことを目的とするものである。
【課題を解決するための手段】
【０００８】
上記した目的を達成するため、本発明の原稿読取装置は、原稿を読み取って画像データを取得する画像読取部と、前記画像読取部へ前記原稿を搬送する原稿搬送部と、表示器を含み、ユーザーからの操作入力を受け付ける操作表示部と、を備え、前記原稿搬送部は、前記画像読取部へ搬送される前記原稿の重送を検知する重送検知部を備え、複数の前記原稿について、前記原稿搬送部による原稿搬送と前記画像読取部による画像読取とを含む搬送読取を実行中に、前記重送検知部が前記原稿の重送を検知した場合、重送が検知された重送原稿に後続する後続原稿の前記搬送読取を停止し、前記重送原稿の再読取動作として、前記重送原稿１枚だけの前記原稿搬送部への載置を促す表示を前記表示器に表示すると共に前記重送検知部の重送検知機能をオフにし、前記重送原稿の前記搬送読取を再度実行した後、前記後続原稿の再開動作として、前記重送検知機能をオンにすると共に前記後続原稿の前記搬送読取を再開することを特徴とする。
【０００９】
また、上記の原稿読取装置は、複数の前記原稿の前記搬送読取を実行中に、前記重送検知部が、前記原稿の重送を連続して検知した場合、又は前記原稿の重送を所定回数検知した場合、それ以降の前記再開動作で前記重送検知機能を常時オフにするか否かのユーザー選択を、ユーザーの操作を受け付ける操作部を介して入力し、前記重送検知機能の常時オフのユーザー選択を入力した場合、それ以降の前記再開動作で前記重送検知機能を常時オフにしてもよい。
【００１０】
更に、上記の原稿読取装置は、前記重送検知部は、前記原稿の重送を検知する複数のセンサーを前記原稿の搬送方向に直交する幅方向に間隔を空けて配置して構成され、前記複数のセンサーのうちの一のセンサーが前記原稿の重送を検知した場合、前記再読取動作において、前記一のセンサーの前記重送検知機能をオフにする一方、前記複数のセンサーのうちの他のセンサーの前記重送検知機能をオンにしてもよい。
【００１１】
また、本発明の画像形成装置は、画像を形成する画像形成部と、上記の原稿読取装置と、を備えることを特徴とする。
【発明の効果】
【００１２】
本発明によれば、複数の原稿のスキャン動作において重送を検知された原稿の画像読取を適切に行うことができる。
【図面の簡単な説明】
【００１３】
【図１】本発明の実施形態に係る複合機を示す断面図である。
【図２】本発明の実施形態に係る複合機の原稿読取装置を示す断面図である。
【図３】本発明の実施形態に係る複合機の電気的な構成を示すブロック図である。
【図４】本発明の実施形態に係る複合機において、スキャン動作を示すフローチャートである。
【図５】本発明の実施形態に係る複合機において、スキャン動作に用いられる複数の原稿の例を示す概要図である。
【図６】本発明の実施形態に係る複合機において、スキャン動作に用いられる複数の原稿及びこれらの原稿から得られた画像データの例を示す概要図である。
【図７】本発明の実施形態に係る複合機において、再読取時の重送原稿の載置の指示画面の例を示す平面図である。
【図８】本発明の実施形態に係る複合機において、スキャン動作に用いられる複数の原稿及びこれらの原稿から得られた画像データの例を示す概要図である。
【図９】本発明の実施形態に係る複合機において、搬送読取の再開時の後続原稿の載置の指示画面の例を示す平面図である。
【図１０】本発明の実施形態に係る複合機において、スキャン動作に用いられる複数の原稿及びこれらの原稿から得られた画像データの例を示す概要図である。
【図１１】本発明の他の実施形態に係る複合機において、重送原稿の再読取時及び後続原稿の再開時の重送検知機能の問合せ画面の例を示す平面図である。
【図１２】本発明の他の実施形態に係る複合機において、重送検知部の複数の重送センサー動作例を示す概要図である。
【発明を実施するための形態】
【００１４】
先ず、本発明の実施形態に係る複合機１（画像形成装置）の全体の構成について図１を参照しながら説明する。以下、説明の便宜上、図１における紙面手前側を複合機１の前側とする。各図に適宜付される矢印Ｌ、Ｒ、Ｕ、Ｌｏは、それぞれ複合機１の左側、右側、上側、下側を示す。
【００１５】
複合機１は、略箱型状の装置本体２を備える。装置本体２内の下部には画像形成に用いる用紙を収納する複数の給紙カセット３が設けられる。装置本体２の上部の胴内空間には、排紙トレイ４が設けられる。
【００１６】
装置本体２の上部には、原稿搬送及び画像読取等のスキャン動作を行う原稿読取装置５が設けられ、原稿読取装置５は、図１及び図２に示すように、原稿から画像を読み取る画像読取部６と、画像読取部６へ原稿を搬送する原稿搬送部７とを備える。画像読取部６及び原稿搬送部７において、主に左右方向が原稿の搬送方向であり、以下の説明では、この搬送方向を原稿の長さ方向とし、搬送方向に直交する方向を原稿の幅方向（前後方向）とする。画像読取部６及び原稿搬送部７の詳細は後述する。
【００１７】
更に、装置本体２の上部には、操作表示部８（操作部）が正面側に取り付けられる。操作表示部８は、例えば、テンキー、スタートキー、システムメニューキー、送信キー、コピーキー等の操作キーと、タッチパネル等の表示器とを備え、ユーザーからの操作入力を受け付ける。
【００１８】
装置本体２の中央部には、像担持体としての中間転写ベルト１０が複数のローラー間に架設される。中間転写ベルト１０の下側には、画像を形成する４つの画像形成部１１がトナーの色（例えば、イエロー、マゼンタ、シアン、ブラックの４色）毎に設けられる。４つの画像形成部１１の下方には、露光部１２が設けられる。中間転写ベルト１０の右端には、二次転写部１３が設けられ、中間転写ベルト１０の左端には、中間転写ベルト１０を清掃するクリーニングユニット１４が設けられる。二次転写部１３は、中間転写ベルト１０の右端側の一部と二次転写ローラーとで構成される。
【００１９】
各画像形成部１１には、像担持体としての感光体ドラムが回転可能に設けられ、感光体ドラムの周囲には、帯電部と、現像部と、一次転写部と、除電部と、クリーニング部とが、電子写真のプロセス順に配置される。現像部の上方には、各画像形成部１１と対応するトナーコンテナが、トナーの色（例えば、イエロー、マゼンタ、シアン、ブラックの４色）毎に設けられ、各トナーコンテナは、各色のトナーを収容する。
【００２０】
装置本体２の右部には、画像形成に用いる用紙の搬送経路１５が設けられる。搬送経路１５の上流部には、複数の給紙部１６が複数の給紙カセット３毎に設けられる。搬送経路１５の中流部には、上記の二次転写部１３が設けられる。搬送経路１５の下流部には、定着部１７が設けられ、搬送経路１５の下流端には排紙部１８が設けられる。
【００２１】
次に、複合機１の画像形成動作について説明する。複合機１では、画像読取部６や外部のコンピューター等から画像データが入力される。各画像形成部１１では、感光体ドラムが、帯電部によって帯電された後、露光部１２によって画像データに基づいて露光されることで、感光体ドラム上に静電潜像が形成される。感光体ドラム上の静電潜像は、現像部によって各色のトナー像に現像される。感光体ドラム上のトナー像は、一次転写部によって中間転写ベルト１０の表面に一次転写される。以上の動作を４つの画像形成部１１が順次行うことによって、中間転写ベルト１０上にフルカラーのトナー像（カラートナー像）が形成される。カラートナー像は、中間転写ベルト１０の回転によって、所定の二次転写タイミングで二次転写部１３へ供給される。
【００２２】
他方、給紙カセット３に収納された用紙は、給紙部１６によって取り出されて搬送経路１５上を搬送される。そして、搬送経路１５上の用紙は、上記の所定の二次転写タイミングで二次転写部１３へ搬送される。二次転写部１３では、中間転写ベルト１０上のカラートナー像が用紙に二次転写される。カラートナー像を二次転写された用紙は、搬送経路１５を下流側へ搬送されて、定着部１７によってカラートナー像が用紙に定着された後、排紙部１８から排紙トレイ４へ排出される。
【００２３】
次に、画像読取部６について説明する。画像読取部６は、装置本体２の胴内空間の上方に配置され、図２に示すように、装置本体２の上面に、原稿台となるプラテンガラス２０と読取スリット２１とを備える。読取スリット２１は、左側に設けられ、プラテンガラス２０は、読取スリット２１の右側に設けられる。また、画像読取部６は、光学走査ユニット２２と、反射ユニット２３と、集光レンズ２４と、ＣＣＤ等の撮像部２５とを備える。
【００２４】
光学走査ユニット２２は、プラテンガラス２０や読取スリット２１の上方の原稿に向かって光を照射する光源２６と、原稿で反射した光を反射ユニット２３に向ける反射ミラー２７とを有する。反射ユニット２３は、複数の反射ミラー２８を有する。光学走査ユニット２２は、主走査方向（前後方向）に長形に形成され、副走査方向（左右方向）に移動可能に設けられる。反射ユニット２３は、原稿から集光レンズ２４までの光路長が常に一定となるように、光学走査ユニット２２の移動に応じて移動するように設けられる。集光レンズ２４及び撮像部２５は、右側に固定される。
【００２５】
画像読取部６が、プラテンガラス２０上に載置された原稿の画像を読み取る載置読取を行う場合、光学走査ユニット２２は、左側から右方向（副走査方向）へ移動して読取位置をずらしながら原稿から画像を読み取る。このとき、光学走査ユニット２２は、プラテンガラス２０上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、プラテンガラス２０上に載置された原稿を先端から終端まで走査（スキャン）することで画像データを生成する。画像読取部６は、プラテンガラス２０上に載置された原稿を検知する載置原稿センサー２９を備え、載置原稿センサー２９で原稿を検知している場合に載置読取を可能にしてもよい。
【００２６】
また、画像読取部６が、原稿搬送部７から搬送される原稿の画像を読み取る搬送読取を行う場合、光学走査ユニット２２は、読取スリット２１に対応する位置を読取位置として固定して原稿から画像を読み取る。このとき、光学走査ユニット２２は、読取スリット２１上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、読取スリット２１上を通過する原稿を先端から終端まで走査（スキャン）することで画像データを生成する。
【００２７】
なお、原稿搬送部７による原稿搬送において、後述の重送検知部４１が原稿の重送を検知したとき、画像読取部６は、その重送された原稿（重送原稿）を読み取って画像データを生成してよいが、その重送検知時の画像データは、後述の再読取制御部５２による重送原稿の再読取動作で新たに画像データが生成されると削除される。
【００２８】
画像読取部６は、原稿毎に生成した画像データを複合機１の制御部５０（図３参照）へ送信して記憶部５１に記憶する。複合機１や画像読取部６の画像読取の設定条件として、モノクロ画像読取やカラー画像読取が設定されるが、画像読取部６は、原稿のカラー画像を読み取って色データ（ＲＧＢデータ）からなる画像データを取得してよい。そして、必要に応じて制御部５０がカラー画像の画像データに二値化処理等の画像処理を行うことで、モノクロ画像の画像データを生成して記憶部５１に記憶する。
【００２９】
次に、原稿搬送部７について説明する。原稿搬送部７は、画像読取部６の上方に配置され、原稿を搬送する機能に加えて、画像読取部６のプラテンガラス２０（装置本体２の上面）を覆うカバー部材として開閉可能に取り付けられる。原稿搬送部７は、プラテンガラス２０に対する開閉を検知する開閉センサー４２を備え、開閉センサー４２で原稿搬送部７の閉塞を検知している場合に画像読取部６による載置読取を可能にしてもよい。
【００３０】
原稿搬送部７は、図２に示すように、画像読取前の原稿が載置される供給トレイ３０と、画像読取後の原稿が排出される排出トレイ３１と、供給トレイ３０上の原稿を、読取スリット２１に対応する読取位置を経由して排出トレイ３１に送り出す搬送機構３２とを備える。搬送機構３２は、読取スリット２１に対応して左側に設けられ、供給トレイ３０は、搬送機構３２の上部から右方に延設され、排出トレイ３１は、搬送機構３２の下部から右方に延設される。
【００３１】
供給トレイ３０は、その右端から搬送機構３２に向かって僅かに下方に傾斜して形成される。供給トレイ３０の上面は、複数の原稿を載置可能な載置面であり、載置面には、原稿の幅方向の位置を規制する一対のガイドが、幅方向にスライド可能に設けられる。原稿搬送部７は、供給トレイ３０上に載置された原稿を検知する搬送原稿センサー４３を備え、搬送原稿センサー４３で原稿を検知している場合に搬送読取を可能にしてもよい。
【００３２】
排出トレイ３１は、装置本体２の上面を覆う原稿搬送部７の基部の上面の一部に形成され、原稿搬送部７の基部は、装置本体２と同径に形成される。
【００３３】
搬送機構３２は、カバー３３によって囲われていて、カバー３３の右面上部には、供給トレイ３０に対応する位置に開口した供給口３４が形成され、カバー３３の右面下部には、排出トレイ３１に対応する位置に開口した排出口３５が形成される。搬送機構３２は、カバー３３の内部に搬送路３６を有し、搬送路３６は、供給口３４から左方に延びて、左側で下方に湾曲し、更に右方に折り返して、読取スリット２１に対応する読取位置を経由し、排出口３５まで延びるように形成される。搬送機構３２は、搬送路３６に沿って、供給ローラー３７と、複数の搬送ローラー３８と、排出ローラー３９と、原稿検知部４０と、重送検知部４１とを備える。
【００３４】
供給ローラー３７は、供給口３４の近傍で回転可能に設けられ、回転することで供給トレイ３０上の原稿を一枚ずつ搬送路３６へ供給する。排出ローラー３９は、排出口３５の近傍で回転可能に設けられ、回転することで搬送路３６から原稿を排出トレイ３１へ排出する。複数の搬送ローラー３８は、搬送路３６において供給ローラー３７と排出ローラー３９との間で、それぞれ間隔を空けて回転可能に設けられる。供給ローラー３７、複数の搬送ローラー３８及び排出ローラー３９は、制御部５０（図３参照）によって制御される駆動部（図示せず）から伝達される回転駆動力によって回転駆動する。
【００３５】
原稿検知部４０は、搬送路３６を搬送される原稿を検知するもので、例えば、発光部と受光部とからなる光センサーで構成される。原稿検知部４０は、検知結果を示す検知信号を出力し、例えば、原稿を検知している場合にはオンの信号を、原稿を検知していない場合にはオフの信号を出力する。原稿検知部４０は、搬送路３６に沿った何れかの位置に設けられ、例えば、搬送路３６において異なる搬送位置でそれぞれ原稿を検知するように、それぞれの搬送位置に複数の原稿検知部４０が配置されてよい。
【００３６】
原稿検知部４０は、原稿搬送部７が原稿の搬送を開始した後、原稿の検知を開始し、原稿の先端から終端までを検知する。例えば、原稿検知部４０は、搬送路３６の搬送方向において読取スリット２１に対応する読取位置より上流側に配置されて、この読取位置に進入する原稿の先端を検知することで、読取位置への原稿の進入タイミング、即ち、読取開始タイミングを取得する。また、原稿検知部４０は、搬送路３６の搬送方向において読取スリット２１に対応する読取位置より下流側に配置されて、この読取位置から退出する原稿の終端を検知することで、読取位置からの原稿の退出タイミング、即ち、読取終了タイミングを取得する。
【００３７】
重送検知部４１は、搬送路３６において供給ローラー３７と読取スリット２１に対応する読取位置との間の所定の位置に設けられる。重送検知部４１は、搬送路３６を搬送される原稿の重なりを重送と検知するもので、例えば、超音波センサー等で構成されてよい。重送検知部４１は、数枚の原稿同士の重なりや、原稿とその原稿に貼り付けた添付物（例えば、付箋や写真、書類等）との重なりを検知し、その検知結果を示す検知信号を出力する。例えば、重送検知部４１は、原稿の重送を検知した場合にはオンの信号を、原稿の重送を検知しない場合にはオフの信号を出力する。
【００３８】
重送検知部４１は、制御部５０に制御されて重送検知機能のオン及びオフを切り換え可能に構成される。なお、重送検知部４１は、幅方向に亘って原稿の重送を検知できるように、超音波センサー等の複数の重送センサー４１ａ（図１２参照）を幅方向に間隔を空けて配置して構成されてよい。複数の重送センサー４１ａは、それぞれ検知信号を制御部５０へ出力する。重送検知部４１は、搬送方向において所定の検知位置で原稿の重送を検知するように配置され、例えば、その検知位置が、読取位置より上流側の原稿検知部４０の検知位置と同じになるように設けられる。そして、重送検知部４１は、原稿搬送部７が原稿の搬送を開始した後、この原稿検知部４０が原稿の先端を検知してから終端を検知するまで、原稿の重送の検知を行う。
【００３９】
次に、上記の複合機１の電気的な構成について図３を参照しながら説明する。複合機１は、ＣＰＵ等からなる制御部５０と、ＲＯＭやＲＡＭ等からなる記憶部５１とを装置本体２の内部に備える。
【００４０】
制御部５０は、記憶部５１に格納された制御プログラムや制御用データに基づいて、制御部５０に接続された各部を制御する。制御部５０は、画像読取部６、原稿搬送部７、操作表示部８、画像形成部１１及び露光部１２等の複合機１の各部に接続され、例えば、原稿搬送部７による原稿搬送や重送検知部４１による重送検知、画像読取部６による画像読取等のスキャン動作を制御する。また、制御部５０は、記憶部５１に記憶されるプログラムを実行することにより再読取制御部５２として機能する。再読取制御部５２によって重送原稿の搬送読取を再度やり直す再読取動作は、スキャン動作に含まれる。
【００４１】
図４は、スキャン動作を示すフローチャートを示す。１回のジョブのスキャン動作では、原稿搬送部７の供給トレイ３０に載置された１枚以上の原稿（複数の原稿）について、原稿搬送部７による原稿搬送（図４のステップＳ１）や重送検知部４１による重送検知（図４のステップＳ２）、画像読取部６による画像読取（図４のステップＳ３）を含む搬送読取が自動的に行われる。スキャン動作の開始時には、重送検知部４１の重送検知機能はオンにされている。
【００４２】
なお、画像読取部６で生成された画像データは順次、記憶部５１に記憶され（図４のステップＳ４）、例えば、原稿の搬送順に記憶されるので、搬送順に基づいて記憶部５１から画像データを取得可能になる。原稿搬送部７は、原稿を搬送する供給ローラー３７や排出ローラー３９の駆動や、原稿検知部４０による原稿の検知結果を監視することで、原稿の搬送順を把握することができる。
【００４３】
また、複数の原稿のスキャン動作では、重送検知部４１で重送が検知された重送原稿について（図４のステップＳ２：ＹＥＳ）、再読取制御部５２によって再読取動作を行う（図４のステップＳ５〜Ｓ８）。そのため、重送に拘らず、複数の原稿の画像データは、搬送順を変えることなく、記憶部５１に記憶される（図４のステップＳ４）。
【００４４】
全ての原稿の搬送読取が終了すると、各原稿の画像データをまとめた１つの画像データファイルが生成される。例えば、１枚の原稿を１ページ分の画像データとする場合、原稿の枚数に相当するページ数の画像データファイルが生成される。
【００４５】
次に、再読取制御部５２について説明する。再読取制御部５２は、重送検知部４１の検知信号に基づいて原稿の重送を把握し、また、重送検知部４１の検知位置における原稿の通過を、読取位置より上流側の原稿検知部４０の検知信号に基づいて把握する。
【００４６】
例えば、再読取制御部５２は、原稿の先端が検知位置を通過してからの経過時間を計測し、この経過時間に基づいて、搬送方向（長さ方向）において原稿の先端から検知位置までの距離を算出し、即ち、検知位置に対応する原稿上の長さ方向の位置を算出する。これにより、再読取制御部５２は、原稿上の重送箇所の長さ方向の位置を把握する。また、再読取制御部５２は、重送検知部４１において幅方向に並べて配置された複数の重送センサー４１ａの内、何れの重送センサー４１ａで重送を検知したかに応じて、原稿上の重送箇所の幅方向の位置を把握する。なお、原稿の先端から終端までの間に、重送が長さ方向や幅方向に連続して検知される場合には、再読取制御部５２は、連続する複数の重送を一つの重送として判定してよい。
【００４７】
再読取制御部５２は、原稿搬送部７の供給トレイ３０に載置された複数の原稿の搬送読取が行われている間に、重送検知部４１が原稿の重送を検知した場合（図４のステップＳ２：ＹＥＳ）、その重送原稿が排出トレイ３１に排出された後、重送原稿に後続する原稿（後続原稿）の搬送読取を停止する。なお、原稿の重送が検知された場合でも、画像読取部６は、上記したように重送原稿から画像を読み取って画像データを生成し、スキャン動作結果に適用せずに、記憶部５１に記憶する。
【００４８】
そして、再読取制御部５２は、後続原稿の搬送読取を再開する前に、重送原稿１枚の再読取動作を行う。再読取制御部５２は、先ず、重送原稿の供給トレイ３０への載置指示を行う（図４のステップＳ５）と共に、重送検知部４１の重送検知機能をオフに切り換える（図４のステップＳ６）。このとき、供給トレイ３０には、後続原稿が載置されていると考えられるので、再読取制御部５２は、図７に示すように、１枚の重送原稿のみを供給トレイ３０に載置するように促す（指示する）表示を含む指示画面５３を操作表示部８の表示器に表示させる。なお、指示画面５３では、後続原稿を供給トレイ３０から取り除く指示を表示してもよい。
【００４９】
重送原稿が供給トレイ３０に載置されて、搬送原稿センサー４３によって検知されると、原稿読取装置５は、重送原稿１枚の再読取動作を実行可能になる。ここで、操作表示部８のスタートキーが操作されると、重送検知部４１の重送検知機能をオフにした状態で、原稿搬送部７は、供給トレイ３０上に１枚だけ載置された重送原稿を画像読取部６へ搬送し、画像読取部６は、供給トレイ３０から搬送された重送原稿から画像を読み取って画像データを取得する（図４のステップＳ７）。また、再読取制御部５２は、重送検知部４１の重送検知機能をオンに戻す（図４のステップＳ８）。そして、重送原稿の再読取動作が終了すると、再読取制御部５２は、重送原稿から取得した画像データをスキャン動作結果に適用して記憶部５１に記憶する（図４のステップＳ４）。なお、再読取動作で得られた重送原稿の画像データは、重送原稿の前ページに後続するページの画像データとして記憶され、再読取制御部５２は、重送検知時の重送原稿の画像データを記憶部５１から削除する。
【００５０】
このようにして重送原稿の再読取動作が終了すると、後続原稿がなければ（図４のステップＳ９：ＮＯ）、スキャン動作を終了し、後続原稿があれば（図４のステップＳ９：ＹＥＳ）、上記のフロー（ステップＳ１〜Ｓ８）が繰り返される。再読取制御部５２は、後続原稿の搬送読取を再開する再開動作のために、図９に示すように、後続原稿を供給トレイ３０に再載置する指示を表示した指示画面５４を操作表示部８の表示器に表示させる。このとき、指示画面５４では、後続原稿の搬送順に基づいて、後続原稿のページ数を示してもよい。そして、後続原稿が供給トレイ３０に載置されて、搬送原稿センサー４３によって検知されると、原稿読取装置５は、後続原稿の再開動作を実行可能になる。ここで、操作表示部８のスタートキーが操作されると、後続原稿の再開動作として、重送検知部４１の重送検知機能をオンにした状態で、後続原稿の搬送読取が再開される。
【００５１】
原稿読取装置５において、図５に示すような全４枚の原稿のスキャン動作を行う例を以下に説明する。この例では、２ページ目の原稿に付箋が貼られていることとする。
【００５２】
先ず、原稿読取装置５では、４枚の原稿が供給トレイ３０にセットされて搬送読取が行われる。図６に示すように、１ページ目の原稿は、重送が生じずに搬送及び画像読取が成功して、１ページ目の原稿に対応する画像データが記憶部５１に記憶される。
【００５３】
２ページ目の原稿は、付箋が貼られているので重送検知部４１で重送が検知される。このとき、再読取制御部５２は、この２ページ目の重送原稿が排出トレイ３１に排出された後、後続する３ページ目以降の原稿（後続原稿）の搬送読取を停止する。そして、再読取制御部５２は、図７に示すように、１枚の重送原稿だけを供給トレイ３０に載置させるように促す（指示する）表示を含む指示画面５３を操作表示部８の表示器に表示させると共に、重送検知部４１の重送検知機能をオフに切り換える。
【００５４】
重送原稿１枚が供給トレイ３０に再度セットされて、操作表示部８のスタートキーが操作されると、重送原稿の再読取動作が行われる。重送原稿の再読取動作では、重送検知機能をオフにしたまま、原稿搬送部７が重送原稿１枚を供給トレイ３０から画像読取部６へ搬送し、画像読取部６が重送原稿から画像を読み取って画像データを取得する。その後、再読取制御部５２は、重送検知部４１の重送検知機能をオンに戻す。これにより、図８に示すように、重送原稿の画像読取が成功して、２ページ目の原稿に対応する画像データが記憶部５１に記憶される。
【００５５】
次に、再読取制御部５２は、図９に示すように、重送原稿に後続する３ページ目以降の後続原稿の供給トレイ３０への載置指示の指示画面５４を操作表示部８の表示器に表示させる。後続原稿が供給トレイ３０にセットされて、操作表示部８のスタートキーが操作されると、後続原稿の再開動作が行われる。後続原稿の再開動作では、原稿搬送部７が３ページ目以降の後続原稿を順次、供給トレイ３０から画像読取部６へ搬送し、画像読取部６が後続原稿から順次、画像を読み取って画像データを取得する。３ページ目以降の後続原稿には添付物が貼られていないので、重送が生じなければ、図１０に示すように、画像読取が成功して、３ページ目以降の後続原稿に対応する画像データが記憶部５１に記憶される。
【００５６】
なお、重送原稿に後続する３ページ目以降の後続原稿がない場合には、図９に示す指示画面５４において、読取終了キーを操作することによって、上記したように、全ての原稿の搬送読取が終了して、各原稿の画像データをまとめた１つの画像データファイルが生成される。
【００５７】
本実施形態によれば、上記したように、原稿読取装置５は、原稿を読み取って画像データを取得する画像読取部６と、画像読取部６へ原稿を搬送する原稿搬送部７と、表示器を含み、ユーザーからの操作入力を受け付ける操作表示部８とを備える。原稿搬送部７は、画像読取部６へ搬送される原稿の重送を検知する重送検知部４１を備える。原稿読取装置５は、複数の原稿について、原稿搬送部７による原稿搬送と画像読取部６による画像読取とを含む搬送読取を実行中に、重送検知部４１が原稿の重送を検知した場合、重送が検知された重送原稿に後続する後続原稿の搬送読取を停止する。そして、原稿読取装置５は、重送原稿の再読取動作として、重送原稿１枚だけの原稿搬送部７への載置を促す表示を表示器に表示すると共に重送検知部４１の重送検知機能をオフにし、重送原稿１枚の搬送読取を再度実行した後、後続原稿の再開動作として、重送検知機能をオンにすると共に後続原稿の搬送読取を再開する。
【００５８】
例えば、複数の原稿の搬送読取を行うとき、付箋や写真、書類等の添付物が貼られた原稿が搬送されると、原稿の重送が検知されるが、この場合、再度の搬送読取において原稿が個々に搬送されても、再度、重送が検知されてしまう。そこで、本実施形態では、重送原稿の再読取動作では、重送検知部４１の重送検知機能をオフにして重送原稿の搬送読取を行うことによって、添付物が貼られた原稿について、添付物を外す必要がなく、重送が検知されることなく画像読取に成功することができる。これにより、添付物が貼られた状態の原稿の画像データを取得することができる。また、添付物が貼られた原稿の搬送を何度も再試行する必要がないので、搬送に起因する原稿の痛みを抑制することができる。
【００５９】
更に、重送原稿に後続する後続原稿の搬送読取では、重送検知部４１の重送検知機能がオンに切り換えられるので、後続原稿に生じる重送を検知することができ、スキャン動作結果のページの抜けを抑制することができる。なお、複数の原稿のスキャン動作結果には、通常の搬送読取で取得した画像データと、再読取動作の搬送読取で取得した画像データとを、同じ画像データファイルに記録することができる。このように、複数の原稿のスキャン動作において重送を検知された原稿の画像読取を適切に行うことが可能となる。
【００６０】
重送検知部４１による重送の検知には、重送原稿に添付物が貼られていた場合や、重送原稿に後続原稿が重送されていた場合がある。また、ユーザーは、重送原稿の再読取動作で、添付物を貼り付けた状態の画像データを所望する場合や、添付物を取り除いた状態の画像データを所望する場合がある。例えば、複数の原稿の搬送読取を行うとき、静電気や湿気により２枚以上の原稿が貼りついて搬送されると、原稿の重送が検知されるが、再読取動作で原稿が１枚だけ搬送されれば、重送が検知されることなく画像読取に成功することができる。
【００６１】
また、上記した実施形態では、再読取制御部５２は、重送原稿の再読取動作の後、後続原稿の再開動作の際に、重送検知部４１の重送検知機能をオンに戻す例を説明したが、本発明はこの例に限定されない。例えば、他の実施形態では、複数の原稿のスキャン動作において、重送原稿に連続する後続原稿について重送検知部４１が重送を検知した場合、又は、１回のスキャン動作で重送検知部４１が原稿の重送を所定回数検知した場合に、再読取制御部５２は、それ以降の後続原稿の再開動作の際に重送検知部４１の重送検知機能を常時オフにするか否かのユーザー選択を、操作表示部８を介して入力する。換言すれば、再読取制御部５２は、重送検知部４１が、原稿の重送を連続して検知した場合、又は１回のスキャン動作で原稿の重送を所定回数検知した場合、それ以降の再開動作で重送検知機能を常時オフにするか否かのユーザー選択を入力する。
【００６２】
例えば、再読取制御部５２は、図１１に示すように、指示画面５３と同様に１枚の重送原稿のみを供給トレイ３０に載置するように促す（指示する）と共に、後続原稿の再開動作における重送検知機能の常時オフのユーザー選択を問い合わせる問合せ画面５５を操作表示部８に表示させる。問合せ画面５５では、ユーザー選択を入力可能な入力キー等が表示される。問合せ画面５５において後続原稿の重送検知機能の常時オフが選択されると、再読取制御部５２は、重送原稿の再読取動作の後、重送検知部４１の重送検知機能を常時オフにして、後続原稿の再開動作を行う。なお、再読取制御部５２は、実行している複数の原稿のスキャン動作が完了すると、重送検知部４１の重送検知機能をオンに戻す。
【００６３】
これにより、例えば、付箋等の添付物が貼られた原稿が多い場合には、重送検知部４１の重送検知機能を常時オフに選択することで、添付物の重送の検知による停止を抑制し、重送原稿や後続原稿の供給トレイ３０への再載置の手間を軽減することができ、スキャン動作を円滑に行うことができる。
【００６４】
ところで、再読取制御部５２は、重送検知部４１が原稿の重送を検知して、操作表示部８の問合せ画面５５で重送検知機能のオフが選択された場合、重送検知部４１の複数の重送センサー４１ａを全てオフにしてもよいが、図１２に示すように、一部の重送センサー４１ａ、例えば、重送を検知した重送センサー４１ａのみをオフにしてもよい。換言すれば、再読取制御部５２は、複数の重送センサー４１ａのうちの一の重送センサー４１ａが原稿の重送を検知した場合、再読取動作において、一の重送センサー４１ａの重送検知機能をオフにする一方、複数の重送センサー４１ａのうちの他の重送センサー４１ａの重送検知機能をオンにする。再読取制御部５２は、複数の重送センサー４１ａのそれぞれから検知信号を受信することで、何れの重送センサー４１ａで重送が検知されたかを把握することができる。
【００６５】
これにより、例えば、原稿の幅方向の一部に貼られた添付物を、一部の重送センサー４１ａが重送と検知した場合、重送原稿の再読取動作では、この一部の重送センサー４１ａがオフにされるので、重送原稿に貼られた添付物は重送と検知されることがない。また、再読取動作で重送原稿が他の原稿と重送された場合には、他の重送センサー４１ａがオンにされたままであれば、他の原稿との重送を検知することができる。そのため、重送原稿と後続原稿を重ねて供給トレイ３０に載置しても、重送を検知することができる。
【００６６】
なお、上記の実施形態では、複合機１に備わる制御部５０が原稿読取装置５のスキャン動作を制御する例を説明したが、本発明はこれに限定されず、例えば、更なる実施形態では、原稿読取装置５に備わる他の制御装置がスキャン動作を制御するように構成してもよい。
【００６７】
また、上記の実施形態では、複合機１に備わる操作表示部８に指示画面５３、指示画面５４及び問合せ画面５５を表示する例を説明したが、本発明はこれに限定されず、例えば、更なる実施形態では、原稿読取装置５に備わる他の表示装置に指示画面５３、指示画面５４及び問合せ画面５５を表示するように構成してもよい。
【００６８】
更に、上記した実施形態では、操作表示部８のスタートキーの操作に応じて重送原稿の再読取動作や後続原稿の再開動作を開始する例を説明したが、本発明はこの例に限定されない。例えば、他の実施形態では、再読取制御部５２は、重送原稿の再読取動作や後続原稿の再開動作の開始を操作するための開始キーを指示画面５３、指示画面５４及び問合せ画面５５に表示してもよい。また、上記した実施形態では、原稿読取装置５は複合機１の操作表示部８を介してユーザーの操作を入力する例を説明したが、本発明はこの例に限定されない。例えば、他の実施形態では、例えば、他の実施形態では、原稿読取装置５に備わる他の操作装置を介してユーザーの操作を入力するように構成してもよい。
【００６９】
上記実施形態では、原稿読取装置５やこの原稿読取装置５を備える複合機１に本発明の構成を適用する場合について説明したが、他の異なる実施形態では、原稿読取装置５を備える他の画像形成装置（プリンター、複写機、ファクシミリ等）に本発明の構成を適用してもよい。
【符号の説明】
【００７０】
１  複合機（画像形成装置）
５  原稿読取装置
６  画像読取部
７  原稿搬送部
８  操作表示部
１１  画像形成部
３２  搬送機構
３６  搬送路
４０  原稿検知部
４１  重送検知部
５０  制御部
５１  記憶部
５２  再読取制御部
５３  指示画面
５４  指示画面
５５  問合せ画面
【図１】
2020170945.tif 000003
【図２】
2020170945.tif 000004
【図３】
2020170945.tif 000005
【図４】
2020170945.tif 000006
【図５】
2020170945.tif 000007
【図６】
2020170945.tif 000008
【図７】
2020170945.tif 000009
【図８】
2020170945.tif 000010
【図９】
2020170945.tif 000011
【図１０】
2020170945.tif 000012
【図１１】
2020170945.tif 000013
【図１２】
2020170945.tif 000014
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
原稿を読み取って画像データを取得する画像読取部と、
前記画像読取部へ前記原稿を搬送する原稿搬送部と、
表示器を含み、ユーザーからの操作入力を受け付ける操作表示部と、
前記画像読取部へ搬送される前記原稿の重送を検知する重送検知部と、
複数の前記原稿について、前記原稿搬送部による原稿搬送と前記画像読取部による画像読取とを含む搬送読取を実行中に、前記重送検知部が前記原稿の重送を検知した場合、重送が検知された重送原稿に後続する後続原稿の前記搬送読取を停止し、
前記重送原稿の再読取動作として、前記重送原稿１枚だけの前記原稿搬送部への載置を促す表示を前記表示器に表示させると共に前記重送検知部の重送検知機能をオフにし、前記重送原稿の前記搬送読取を再度実行した後、前記後続原稿の再開動作として、前記重送検知機能をオンにすると共に前記後続原稿の前記搬送読取を再開する制御部と、を備えることを特徴とする原稿読取装置。
【請求項２】
複数の前記原稿の前記搬送読取を実行中に、前記重送検知部が、前記原稿の重送を連続して検知した場合、又は前記原稿の重送を所定回数検知した場合、前記制御部は、それ以降の前記再開動作で前記重送検知機能を常時オフにするか否かのユーザー選択を、前記操作表示部を介して受け付け、
前記重送検知機能の常時オフのユーザー選択を受け付けた場合、それ以降の前記再開動作で前記重送検知機能を常時オフにすることを特徴とする請求項１に記載の原稿読取装置。
【請求項３】
前記重送検知部は、前記原稿の重送を検知する複数の重送センサーを前記原稿の搬送方向に直交する幅方向に間隔を空けて配置して構成され、
前記複数の重送センサーのうちの一の重送センサーが前記原稿の重送を検知した場合、前記制御部は、前記再読取動作において、前記原稿の重送を検知した前記一の重送センサーの前記重送検知機能をオフにする一方、前記複数の重送センサーのうちの他の重送センサーの前記重送検知機能をオンにすることを特徴とする請求項１に記載の原稿読取装置。
【請求項４】
画像を形成する画像形成部と、
請求項１〜３の何れか１項に記載の原稿読取装置と、
を備えることを特徴とする画像形成装置。
【手続補正２】
【補正対象書類名】明細書
【補正対象項目名】０００８
【補正方法】変更
【補正の内容】
【０００８】
上記した目的を達成するため、本発明の原稿読取装置は、原稿を読み取って画像データを取得する画像読取部と、前記画像読取部へ前記原稿を搬送する原稿搬送部と、表示器を含み、ユーザーからの操作入力を受け付ける操作表示部と、前記画像読取部へ搬送される前記原稿の重送を検知する重送検知部と、複数の前記原稿について、前記原稿搬送部による原稿搬送と前記画像読取部による画像読取とを含む搬送読取を実行中に、前記重送検知部が前記原稿の重送を検知した場合、重送が検知された重送原稿に後続する後続原稿の前記搬送読取を停止し、前記重送原稿の再読取動作として、前記重送原稿１枚だけの前記原稿搬送部への載置を促す表示を前記表示器に表示させると共に前記重送検知部の重送検知機能をオフにし、前記重送原稿の前記搬送読取を再度実行した後、前記後続原稿の再開動作として、前記重送検知機能をオンにすると共に前記後続原稿の前記搬送読取を再開する制御部と、を備えることを特徴とする。
【手続補正３】
【補正対象書類名】明細書
【補正対象項目名】０００９
【補正方法】変更
【補正の内容】
【０００９】
また、上記の原稿読取装置は、複数の前記原稿の前記搬送読取を実行中に、前記重送検知部が、前記原稿の重送を連続して検知した場合、又は前記原稿の重送を所定回数検知した場合、前記制御部は、それ以降の前記再開動作で前記重送検知機能を常時オフにするか否かのユーザー選択を、ユーザーの操作を受け付ける操作部を介して受け付け、前記重送検知機能の常時オフのユーザー選択を受け付けた場合、それ以降の前記再開動作で前記重送検知機能を常時オフにしてもよい。
【手続補正４】
【補正対象書類名】明細書
【補正対象項目名】００１０
【補正方法】変更
【補正の内容】
【００１０】
更に、上記の原稿読取装置は、前記重送検知部は、前記原稿の重送を検知する複数のセンサーを前記原稿の搬送方向に直交する幅方向に間隔を空けて配置して構成され、前記複数のセンサーのうちの一のセンサーが前記原稿の重送を検知した場合、前記制御部は、前記再読取動作において、前記原稿の重送を検知した前記一のセンサーの前記重送検知機能をオフにする一方、前記複数のセンサーのうちの他のセンサーの前記重送検知機能をオンにしてもよい。
【手続補正５】
【補正対象書類名】明細書
【補正対象項目名】００４２
【補正方法】変更
【補正の内容】
【００４２】
なお、画像読取部６で生成された画像データは順次、記憶部５１に記憶され（図４のステップＳ４）、例えば、原稿の搬送順に記憶されるので、搬送順に基づいて記憶部５１から画像データを取得可能になる。制御部５０は、原稿を搬送する供給ローラー３７や排出ローラー３９の駆動や、原稿検知部４０による原稿の検知結果を監視することで、原稿の搬送順を把握することができる。
【手続補正６】
【補正対象書類名】明細書
【補正対象項目名】００４５
【補正方法】変更
【補正の内容】
【００４５】
次に、再読取制御部５２について説明する。再読取制御部５２は、重送検知部４１が出力する検知信号に基づいて原稿の重送を把握し、また、重送検知部４１の検知位置における原稿の通過を、読取位置より上流側の原稿検知部４０によって出力された検知信号に基づいて把握する。
【手続補正７】
【補正対象書類名】明細書
【補正対象項目名】００４９
【補正方法】変更
【補正の内容】
【００４９】
重送原稿が供給トレイ３０に載置されたことを搬送原稿センサー４３が検知すると、原稿読取装置５は、重送原稿１枚の再読取動作を実行可能になる。ここで、操作表示部８のスタートキーが操作されると、重送検知部４１の重送検知機能をオフにした状態で、原稿搬送部７は、供給トレイ３０上に１枚だけ載置された重送原稿を画像読取部６へ搬送し、画像読取部６は、供給トレイ３０から搬送された重送原稿から画像を読み取って重送原稿の画像データを取得する（図４のステップＳ７）。また、再読取制御部５２は、重送検知部４１の重送検知機能をオンに戻す（図４のステップＳ８）。そして、重送原稿の再読取動作が終了すると、再読取制御部５２は、重送原稿から取得した画像データをスキャン動作結果に適用して記憶部５１に記憶する（図４のステップＳ４）。なお、再読取動作で得られた重送原稿の画像データは、重送原稿の前ページに後続するページの画像データとして記憶され、再読取制御部５２は、重送検知時の重送原稿の画像データを記憶部５１から削除する。
【手続補正８】
【補正対象書類名】明細書
【補正対象項目名】００５０
【補正方法】変更
【補正の内容】
【００５０】
このようにして重送原稿の再読取動作が終了すると、後続原稿がなければ（図４のステップＳ９：ＮＯ）、スキャン動作を終了し、後続原稿があれば（図４のステップＳ９：ＹＥＳ）、上記のフロー（ステップＳ１〜Ｓ８）が繰り返される。再読取制御部５２は、後続原稿の搬送読取を再開する再開動作のために、図９に示すように、後続原稿を供給トレイ３０に再載置する指示を表示した指示画面５４を操作表示部８の表示器に表示させる。このとき、指示画面５４では、後続原稿の搬送順に基づいて、後続原稿のページ数を示してもよい。そして、後続原稿が供給トレイ３０に載置されたことを搬送原稿センサー４３が検知すると、原稿読取装置５は、後続原稿の再開動作を実行可能になる。ここで、操作表示部８のスタートキーが操作されると、後続原稿の再開動作として、重送検知部４１の重送検知機能をオンにした状態で、後続原稿の搬送読取が再開される。
【手続補正９】
【補正対象書類名】明細書
【補正対象項目名】００５２
【補正方法】変更
【補正の内容】
【００５２】
先ず、原稿読取装置５では、４枚の原稿が供給トレイ３０にセットされて搬送読取が行われる。図６に示すように、１ページ目の原稿は、重送が生じずに搬送及び画像読取が成功して、画像読取部６が１ページ目の原稿に対応する画像データをスキャン動作結果に適用して、記憶部５１に記憶する。
【手続補正１０】
【補正対象書類名】明細書
【補正対象項目名】００５３
【補正方法】変更
【補正の内容】
【００５３】
２ページ目の原稿は、付箋が貼られているので重送検知部４１で重送が検知され、画像読取部６が、重送が検知された２ページ目の原稿に対応する画像データをスキャン動作結果に適用せずに、記憶部５１に記憶する。このとき、再読取制御部５２は、この２ページ目の重送原稿が排出トレイ３１に排出された後、後続する３ページ目以降の原稿（後続原稿）の搬送読取を停止する。そして、再読取制御部５２は、図７に示すように、１枚の重送原稿だけを供給トレイ３０に載置させるように促す（指示する）表示を含む指示画面５３を操作表示部８の表示器に表示させると共に、重送検知部４１の重送検知機能をオフに切り換える。
【手続補正１１】
【補正対象書類名】明細書
【補正対象項目名】００５４
【補正方法】変更
【補正の内容】
【００５４】
重送原稿１枚が供給トレイ３０に再度セットされて、操作表示部８のスタートキーが操作されると、重送原稿の再読取動作が行われる。重送原稿の再読取動作では、重送検知機能をオフにしたまま、原稿搬送部７が重送原稿１枚を供給トレイ３０から画像読取部６へ搬送し、画像読取部６が重送原稿から画像を読み取って重送原稿の画像データを取得する。その後、再読取制御部５２は、重送検知部４１の重送検知機能をオンに戻す。これにより、図８に示すように、重送原稿の画像読取が成功して、再読取制御部５２又は画像読取部６が、２ページ目の原稿に対応する画像データをスキャン動作結果に適用して、記憶部５１に記憶する。
【手続補正１２】
【補正対象書類名】明細書
【補正対象項目名】００５５
【補正方法】変更
【補正の内容】
【００５５】
次に、再読取制御部５２は、図９に示すように、重送原稿に後続する３ページ目以降の後続原稿の供給トレイ３０への載置指示の指示画面５４を操作表示部８の表示器に表示させる。後続原稿が供給トレイ３０にセットされて、操作表示部８のスタートキーが操作されると、後続原稿の再開動作が行われる。後続原稿の再開動作では、原稿搬送部７が３ページ目以降の後続原稿を順次、供給トレイ３０から画像読取部６へ搬送し、画像読取部６が後続原稿から順次、画像を読み取って後続原稿の画像データを取得する。３ページ目以降の後続原稿には添付物が貼られていないので、重送が生じなければ、図１０に示すように、画像読取が成功して、画像読取部６が、３ページ目以降の後続原稿に対応する画像データをスキャン動作結果に適用して、記憶部５１に記憶する。
【手続補正１３】
【補正対象書類名】明細書
【補正対象項目名】００５７
【補正方法】変更
【補正の内容】
【００５７】
本実施形態によれば、上記したように、原稿読取装置５は、原稿を読み取って画像データを取得する画像読取部６と、画像読取部６へ原稿を搬送する原稿搬送部７と、表示器を含み、ユーザーからの操作入力を受け付ける操作表示部８と、画像読取部６へ搬送される原稿の重送を検知する重送検知部４１と、制御部５０とを備える。制御部５０は、複数の原稿について、原稿搬送部７による原稿搬送と画像読取部６による画像読取とを含む搬送読取を実行中に、重送検知部４１が原稿の重送を検知した場合、重送が検知された重送原稿に後続する後続原稿の搬送読取を停止する。そして、制御部５０は、重送原稿の再読取動作として、重送原稿１枚だけの原稿搬送部７への載置を促す表示を表示器に表示させると共に重送検知部４１の重送検知機能をオフにし、重送原稿１枚の搬送読取を再度実行した後、後続原稿の再開動作として、重送検知機能をオンにすると共に後続原稿の搬送読取を再開する。
【手続補正１４】
【補正対象書類名】明細書
【補正対象項目名】００６１
【補正方法】変更
【補正の内容】
【００６１】
また、上記した実施形態では、再読取制御部５２は、重送原稿の再読取動作の後、後続原稿の再開動作の際に、重送検知部４１の重送検知機能をオンに戻す例を説明したが、本発明はこの例に限定されない。例えば、他の実施形態では、複数の原稿のスキャン動作において、重送原稿に連続する後続原稿について重送検知部４１が重送を検知した場合、又は、１回のスキャン動作で重送検知部４１が原稿の重送を所定回数検知した場合に、再読取制御部５２は、それ以降の後続原稿の再開動作の際に重送検知部４１の重送検知機能を常時オフにするか否かのユーザー選択を、操作表示部８を介して受け付ける。換言すれば、再読取制御部５２は、重送検知部４１が、原稿の重送を連続して検知した場合、又は１回のスキャン動作で原稿の重送を所定回数検知した場合、それ以降の再開動作で重送検知機能を常時オフにするか否かのユーザー選択を受け付ける。
【手続補正１５】
【補正対象書類名】明細書
【補正対象項目名】００６４
【補正方法】変更
【補正の内容】
【００６４】
ところで、再読取制御部５２は、重送検知部４１が原稿の重送を検知して、操作表示部８の問合せ画面５５で重送検知機能のオフが選択された場合、重送検知部４１の複数の重送センサー４１ａを全てオフにしてもよいが、図１２の他の実施形態に示すように、一部の重送センサー４１ａ、例えば、重送を検知した重送センサー４１ａのみをオフにしてもよい。換言すれば、再読取制御部５２は、複数の重送センサー４１ａのうちの一の重送センサー４１ａが原稿の重送を検知した場合、再読取動作において、原稿の重送を検知した一の重送センサー４１ａの重送検知機能をオフにする一方、複数の重送センサー４１ａのうちの他の重送センサー４１ａの重送検知機能をオンにする。再読取制御部５２は、複数の重送センサー４１ａのそれぞれから検知信号を受信することで、何れの重送センサー４１ａで重送が検知されたかを把握することができる。
【手続補正１６】
【補正対象書類名】明細書
【補正対象項目名】００６８
【補正方法】変更
【補正の内容】
【００６８】
更に、上記した実施形態では、操作表示部８のスタートキーの操作に応じて重送原稿の再読取動作や後続原稿の再開動作を開始する例を説明したが、本発明はこの例に限定されない。例えば、他の実施形態では、再読取制御部５２は、重送原稿の再読取動作や後続原稿の再開動作の開始を操作するための開始キーを指示画面５３、指示画面５４及び問合せ画面５５に表示してもよい。また、上記した実施形態では、原稿読取装置５は複合機１の操作表示部８を介してユーザーの操作を受け付ける例を説明したが、本発明はこの例に限定されない。例えば、他の実施形態では、例えば、他の実施形態では、原稿読取装置５に備わる他の操作装置を介してユーザーの操作を受け付けるように構成してもよい。